(57)【要約】【課題】便器設置環境・使用者の意向に適応できる温水洗浄便座装置の提供。【解決手段】便器の後部上面に設置されるべきケース内に装着された温水洗浄機構がリモコン装置を操作することにより作動されるようにしてなる温水洗浄便座装置において、前記ケース１２の一方及び双方の端部１２Ｒ・１２Ｌを袖無構造とし、前記リモコン装置３０を前記端部１２Ｒ・１２Ｌに着脱自在に装着可能とした。【選択図】      図１
2004353330.tif 000002
【特許請求の範囲】
【請求項１】
便器の幅方向に直線的に延在し且つ前記便器の後部上面に設置されるべきケースと、前記ケース内に装着された温水洗浄機構と、前記温水洗浄機構を操作するリモコン装置と、前記ケースの延在方向の一方端面及び他方端面の双方に対して選択的に着脱自在に保持され且つ前記リモコン装置を着脱自在に保持する保持部材とを備える、温水洗浄便座装置。
【請求項２】
便器の幅方向に直線的に延在し且つ前記便器の後部上面に設置されるべきケースと、前記ケース内に装着された温水洗浄機構と、前記温水洗浄機構を操作するリモコン装置と、前記ケースの延在方向の一方端面に穿設された穴部に着脱自在に嵌着された且つ前記リモコン装置を着脱自在に保持する保持部材と、前記ケースの延在方向の他方端面に穿設された穴部に着脱自在に嵌着された封止部材とを備える、温水洗浄便座装置。
【請求項３】
便器の後部上面に設置されるべきケース内に装着された温水洗浄機構がリモコン装置を操作することにより作動されるようにしてなる温水洗浄便座装置において、前記ケースの一方及び双方の端部を袖無構造とし、前記リモコン装置を前記端部に着脱自在に装着可能とした、温水洗浄便座装置。
【発明の詳細な説明】
【０００１】
【発明の属する技術分野】
本発明は、温水洗浄便座装置に関する。
【０００２】
【従来の技術】
周知のように、温水洗浄便座装置は、洋風便器の幅方向に延在し且つ前記洋風便器の後部上面に設置されるべきケースと、このケース内に装着された温水洗浄機構と、この温水洗浄機構を操作する操作部とを備える。しかして、操作部は、一般的に、ケースの延在方向の一方端部から前方に突出する袖部上に設けられる操作スイッチ群と、前記ケースと別体をなして壁に設置されるリモコン装置とから構成されており、前記スイッチ群及び前記リモコン装置の何れかを操作すれば、前記温水洗浄機構が作動して、人体局部の洗浄がなされるようになっている（例えば、特許文献１参照）。
【０００３】
【特許文献１】
特開２０００−１２９７４９号公報  （第１〜３頁、図１〜４）
【０００４】
【発明が解決しようとする課題】
しかしながら、上記した温水洗浄便座装置は、以下に示すような不具合がある。
【０００５】
洋風便器が据置されるトイレ空間が狭小である場合、ケースに袖部があると、温水洗浄便座装置を、この洋風便器の後部上面に設置できない。
【０００６】
ケースの一方端部から前方に突出するように形成される袖部は、その上に配設されるスイッチ群が右利きのユーザにより操作されることを前提としているので、左利きのユーザにとっては、操作上の不便がある。
【０００７】
また、個々独立して温水洗浄機構を作動させるスイッチ群及びリモコン装置は、回路的に近似しており、製造コスト低減を阻害する一因となっている。
【０００８】
それ故に、本発明は、かような不具合が惹起されない温水洗浄便座装置、つまり、便器設置環境・使用者の意向に適応できる温水洗浄便座装置を提供することを、その技術的課題とする。
【０００９】
【課題を解決するための手段】
上記した課題を解決するために、請求項１、請求項２及び請求項３で、夫々、講じた技術的手段は、
「便器の幅方向に直線的に延在し且つ前記便器の後部上面に設置されるべきケースと、前記ケース内に装着された温水洗浄機構と、前記温水洗浄機構を操作するリモコン装置と、前記ケースの延在方向の一方端面及び他方端面の双方に対して選択的に着脱自在に保持され且つ前記リモコン装置を着脱自在に保持する保持部材とを備える、温水洗浄便座装置」、
「便器の幅方向に直線的に延在し且つ前記便器の後部上面に設置されるべきケースと、前記ケース内に装着された温水洗浄機構と、前記温水洗浄機構を操作するリモコン装置と、前記ケースの延在方向の一方端面に穿設された穴部に着脱自在に嵌着された且つ前記リモコン装置を着脱自在に保持する保持部材と、前記ケースの延在方向の他方端面に穿設された穴部に着脱自在に嵌着された封止部材とを備える、温水洗浄便座装置」及び
「便器の後部上面に設置されるべきケース内に装着された温水洗浄機構がリモコン装置を操作することにより作動されるようにしてなる温水洗浄便座装置において、前記ケースの一方及び双方の端部を袖無構造とし、前記リモコン装置を前記端部に着脱自在に装着可能とした、温水洗浄便座装置」
を構成したことである。
【００１０】
【発明の実施の形態】
以下、添付図面に依拠して、本発明にかかる温水洗浄便座装置の実施形態について説明する。
【００１１】
図１〜図５に示すように、温水洗浄便座装置１０は、直方体上のケース１２を備える。このケース１２は、便器（図示略）の後部上面に設置されるものであって、この設置により、ケース１２は、便器の幅方向に略直線的に延在する。
【００１２】
このケース１２内には、温水洗浄機構１４が収納されており、そのエンド部材たる一対のノズル１６・１８が、周知のように、ケース１２から便器内に延出する。
【００１３】
ケース１２は、図示するところから明瞭なように、袖無構造とされており、その一方端面（右端面）１２Ｒ及び他方端面（左端面）１２Ｌは、垂直壁となっている。ケース１２を袖無構造とすることにより、温水洗浄便座装置１０を、狭小なトイレ空間に設置された便器９０への装着を可能とできる。
【００１４】
ケース１２の中央部は、前方に少し突出する中央膨出部１２Ａとなっており、中央膨出部１２Ａの一方端部（図１及び図２の右側）は便座２０及び便蓋２２の一方側に、中央膨出部１２Ａの他方端部（図１及び図２の左側）は便座２０及び便蓋２２の他方側に、夫々、周知のピンにより枢着されている。しかして、便蓋２２が、持ち上げられたとき、便座２０に、人が着座できるようになっており、ケース１２の一方端面（右端面）１２Ｒに装着されたリモコン装置３０の所定のボタン（図示略）を操作することにより、ノズル１６（１８）から、周知のように、温水が臀部（女性局所）に噴射され、この部位が温水洗浄される。
【００１５】
リモコン装置３０のケース１２の一方端面（右端面）１２Ｒへの装着構造について、以下、詳細に説明する。
【００１６】
ケース１２の一方端面（右端面）１２Ｒには、穴１２ＲＨが穿設されている。この穴１２ＲＨには、保持部材４０が着脱自在に嵌着・固定されている。すなわち、図３に示されるように、保持部材４０は、相互に略直角をなすように樹脂で一体成型された縦部４２と横部４４とから形成されている。しかして、保持部材４０の縦部４２を、ケースの一方端面（右端面）１２Ｒの穴１２ＲＨに、弾性的に嵌着させることにより、保持部材４０は、横部４４が外方に突出ないしは延出する態様で、ケースの一方端面（右端面）１２Ｒに着脱自在に固定される。
【００１７】
リモコン装置３０の底面には浅い溝３２が画成されており、この溝３２を保持部材４０の横部４４上にスライド嵌着することにより、リモコン装置３０が保持部材４０に着脱自在に保持されることになる。かくして、リモコン装置３０は、ケースの一方端面（右端面）１２Ｒに、着脱自在に保持されることになる。
【００１８】
他方、図５に示されるように、ケース１２の他方端面（左端面）１２Ｌには、穴１２ＬＨが穿設されている。この穴１２ＬＨには、封止部材５０が着脱自在に嵌着・固定されている。しかして、穴１２ＲＨと穴１２ＬＨとは、合同（同一形状・同一寸法）であって、しかも封止部材５０は、保持部材４０の縦部４２と合同となるように形成されているので、保持部材４０の縦部４２を穴１２ＬＨに嵌着・固定させた後、リモコン装置３０を保持部材４０の横部４４に装着すれば、図６に示されるように、リモコン装置３０を、ケース１２の他方端面（左端面）１２Ｌに、着脱自在に保持させることが出来る。このとき、穴１２ＲＨは封止部材４０が嵌着・封止される。
【００１９】
畢竟、上記した構成によるメリットを纏めれば、次のようになる。
【００２０】
（１）リモコン装置３０をケース１２の一方端面（右端面）１２Ｒに装着すれば左利きの使用者の便宜にかなう。
【００２１】
（２）リモコン装置３０をケース１２の他方端面（左端面）１２Ｌに装着すれば右利きの使用者の便宜にかなう。
【００２２】
（３）リモコン装置３０をケース１２の端部に装着せずとも温水洗浄便座装置１０を作動できるので、この温水洗浄便座装置１０を狭小なトイレ空間に設置された便座９０に装着することが可能となる。
【００２３】
また、穴１２ＲＨ及び穴１２ＬＨの各々に封止部材４０が嵌着・封止して、リモコン装置３０をトイレ空間を画成する壁面に設置することも出来るし、穴１２ＲＨ及び穴１２ＬＨの各々に保持材４０の縦部４２を嵌着・固定して、リモコン装置３０を、ケース２０の両端面に着脱自在に装着することも出来る。
【００２４】
以上、本発明の実施の形態について説明したが、本発明は上述した実施の形態に限定される意図はなく、本発明の趣旨に沿った形態の温水洗浄便座装置であれば、どのようなものでもよい。例えば、穴１２ＲＨ及び穴１２ＬＨを貫通穴ではなく、ブラインドボアに改変することも、固より可能である。また、保持部材４０の代わりに、図７に示すように、ケース２０のケースの一方端面１２Ｒにプレート６０をピン６２で枢着して、プレート６０を縦方向から横方向に変移させた後に、このプレート６０に、リモコン装置３０を装着しても良い。
【００２５】
【発明の効果】
本発明によれば、リモコン装置を、ユーザの利き手や便器が設置されるトイレ空間の物理的現況に応じて、適宜、ケースの一方端面、ケースの他方端面及びトイレ空間の壁面のいずれにも装着でき、実用上、多大な効果を奏する。リモコン装置が装着されないケースの端部は封止されることにより、ケース内部への水の侵入を防止でき、温水洗浄機構の保護が全うされる。
【図面の簡単な説明】
【図１】本発明にかかる温水洗浄便座装置の一実施態様例（ケースの一方端部にリモコン装置を装着した場合）の斜視図である。
【図２】本発明にかかる温水洗浄便座装置を便器に装着したときの状態を示す例の斜視図である。
【図３】保持部材の斜視図である。
【図４】リモコン装置の概略側面図である。
【図５】図１に示す温水洗浄便座装置のケースの他方端部近傍を示す斜視図である。
【図６】温水洗浄便座装置のケースの他方端部にリモコン装置を装着した状態を示す斜視図である。
【図７】保持部材の変形例を示す図である。
【符号の説明】
１０・・・ベッド
１２・・・ケース
２０・・・便座
３０・・・リモコン装置
４０・・・保持部材
９０・・・便器
【図１】
2004353330.tif 000003
【図２】
2004353330.tif 000004
【図３】
2004353330.tif 000005
【図４】
2004353330.tif 000006
【図５】
2004353330.tif 000007
【図６】
2004353330.tif 000008
【図７】
2004353330.tif 000009